(57)【要約】【課題】  １回の探索処理で多くの種別のデバイスを登録できるようにする。【解決手段】  管理対象のデバイスを探索するデバイス探索工程と、前記デバイス探索工程おける探索により得られたデバイスの一覧情報を保持する一覧情報保持工程と、前記一覧情報保持工程において保持されているデバイス一覧情報の中から、管理デバイス登録先が選択された際に登録対象デバイス一覧を切り替える一覧表示切り替え工程と、前記管理対象のデバイスの登録先が未確定な時に、デバイスリストからデバイスを選択させるようにするデバイス選択工程と、前記探索されたデバイスがリソースを使用可能であるか否かに応じてデバイス一覧の表示を制御する表示制御工程とを行うことにより、異なるリソース種別毎にデバイス管理グループを複数個作成したり、前記作成した複数個のデバイス管理グループのそれぞれに対してデバイスの探索を行ったりする手間を省略できるようにする。【選択図】  図１
2005208921.tif 000002
【特許請求の範囲】
【請求項１】
リソースダウンロードプログラムにより構成されるリソースダウンローダが格納された記録媒体を備えた情報処理装置における登録方法であって、
ネットワーク上に接続されている複数のデバイスの中から、管理対象のデバイスを探索するデバイス探索工程と、
前記デバイス探索工程おける探索により得られたデバイスの一覧情報を保持する一覧情報保持工程と、
前記一覧情報保持工程において保持されているデバイス一覧情報の中から、管理デバイス登録先が選択された際に登録対象デバイス一覧を切り替える一覧表示切り替え工程と、
前記管理対象のデバイスの登録先が未確定な時に、デバイスリストからデバイスを選択させるようにするデバイス選択工程と、
前記デバイス探索工程により探索されたデバイスがリソースを使用可能であるか否かに応じてデバイス一覧の表示を制御する表示制御工程とを有することを特徴とする登録方法。
【請求項２】
前記表示制御工程においては、一覧表示されたデバイスリスト上からデバイスが選択された場合に、前記選択されたデバイスがリソースに対応していない場合は、そのデバイスにリソースをダウンロードできないように表示を制御することを特徴とする請求項１に記載の登録方法。
【請求項３】
前記表示制御工程においては、前記選択されたデバイスがリソースに対応していない場合は、登録先フォルダの表示状態をグレー表示して、登録不可であることをユーザに報知することを特徴とする請求項２に記載の登録方法。
【請求項４】
前記探索結果のデバイス一覧情報を保持する一覧情報保持工程は、デバイスの製品名称を保持することを特徴とする請求項１〜３の何れか１項に記載の登録方法。
【請求項５】
前記探索結果のデバイス一覧情報を保持する一覧情報保持工程は、デバイスのIPアドレスを保持することを特徴とする請求項１〜３の何れか１項に記載の登録方法。
【請求項６】
前記探索結果のデバイス一覧情報を保持する一覧情報保持工程は、デバイスにダウンロード可能なリソースデータのリソース種別を保持することを特徴とする請求項１〜３の何れか１項に記載の登録方法。
【請求項７】
前記管理デバイス登録先が選択された際に登録対象デバイス一覧を切り替える一覧表示切り替え工程は、ダウンロードリソース種別を選択することを特徴とする請求項１〜６の何れか１項に記載の登録方法。
【請求項８】
前記管理デバイス登録先が選択された際に登録対象デバイス一覧を切り替える一覧表示切り替え工程は、ダウンロードリソース種別に依存するデバイス管理グループを選択することを特徴とする請求項１〜６の何れか１項に記載の登録方法。
【請求項９】
前記管理デバイスの登録先が未確定な時に、前記一覧表示されたデバイスリストからデバイスが選択された際に補助情報を表示する補助情報表示工程を有し、
前記補助情報表示工程においては、ダウンロードリソース種別に関する情報を表示することを特徴とする請求項１に記載の登録方法。
【請求項１０】
前記補助情報表示工程においては、登録可能なリソース種別を通常表示し、登録不可能なリソース種別をグレー表示することを特徴とする請求項９に記載の登録方法。
【請求項１１】
前記補助情報表示工程においては、登録可能なリソース種別に属するグループを通常表示し、登録不可能なリソース種別に属するグループをグレー表示することを特徴とする請求項９に記載の登録方法。
【請求項１２】
リソースダウンロードプログラムにより構成されるリソースダウンローダが格納された記録媒体を備えた情報処理装置における登録装置であって、
ネットワーク上に接続されている複数のデバイスの中から、管理対象のデバイスを探索するデバイス探索手段と、
前記デバイス探索手段おける探索により得られたデバイスの一覧情報を保持する一覧情報保持手段と、
前記一覧情報保持手段において保持されているデバイス一覧情報の中から、管理デバイス登録先が選択された際に登録対象デバイス一覧を切り替える一覧表示切り替え手段と、
前記管理対象のデバイスの登録先が未確定な時に、一覧表示されたデバイスリストからデバイスを選択させるようにするデバイス選択手段と、
前記デバイス探索手段により探索されたデバイスがリソースを使用可能であるか否かに応じてデバイス一覧の表示を制御する表示制御手段とを有することを特徴とする登録装置。
【請求項１３】
前記表示制御手段は、前記一覧表示されたデバイスリスト上からデバイスが選択された場合に、前記選択されたデバイスがリソースに対応していない場合は、そのデバイスにリソースをダウンロードできないように表示を制御することを特徴とする請求項１２に記載の登録装置。
【請求項１４】
前記表示制御手段は、前記選択されたデバイスがリソースに対応していない場合は、登録先フォルダの表示状態をグレー表示して、登録不可であることをユーザに報知することを特徴とする請求項１２に記載の登録装置。
【請求項１５】
前記探索結果のデバイス一覧情報を保持する一覧情報保持手段は、デバイスの製品名称を保持することを特徴とする請求項１２〜１４の何れか１項に記載の登録装置。
【請求項１６】
前記探索結果のデバイス一覧情報を保持する一覧情報保持手段は、デバイスのIPアドレスを保持することを特徴とする請求項１２〜１４の何れか１項に記載の登録装置。
【請求項１７】
前記探索結果のデバイス一覧情報を保持する一覧情報保持手段は、デバイスにダウンロード可能なリソースデータのリソース種別を保持することを特徴とする請求項１２〜１４の何れか１項に記載の登録装置。
【請求項１８】
前記管理デバイス登録先が選択された際に登録対象デバイス一覧を切り替える一覧表示切り替え手段は、ダウンロードリソース種別を選択することを特徴とする請求項１２〜１７の何れか１項に記載の登録装置。
【請求項１９】
前記管理デバイス登録先が選択された際に登録対象デバイス一覧を切り替える一覧表示切り替え手段は、ダウンロードリソース種別に依存するデバイス管理グループを選択することを特徴とする請求項１２〜１７の何れか１項に記載の登録装置。
【請求項２０】
前記管理デバイスの登録先が未確定な時に、前記一覧表示されたデバイスリストからデバイスが選択された際に補助情報を表示する補助情報表示手段を有し、
前記補助情報表示手段は、ダウンロードリソース種別に関する情報を表示することを特徴とする請求項１２に記載の登録装置。
【請求項２１】
前記補助情報表示手段は、登録可能なリソース種別を通常表示し、登録不可能なリソース種別をグレー表示することを特徴とする請求項２０に記載の登録装置。
【請求項２２】
前記補助情報表示手段は、登録可能なリソース種別に属するグループを通常表示し、登録不可能なリソース種別に属するグループをグレー表示することを特徴とする請求項２０に記載の登録装置。
【請求項２３】
デバイスにダウンロードされるリソースを登録する登録方法をコンピュータに実行させるプログラムであって、
ネットワーク上に接続されている複数のデバイスの中から、管理対象のデバイスを探索するデバイス探索工程と、
前記デバイス探索工程おける探索により得られたデバイスの一覧情報を保持する一覧情報保持工程と、
前記一覧情報保持工程において保持されているデバイス一覧情報の中から、管理デバイス登録先が選択された際に登録対象デバイス一覧を切り替える一覧表示切り替え工程と、
前記管理対象のデバイスの登録先が未確定な時に、デバイスリストからデバイスを選択させるようにするデバイス選択工程と、
前記デバイス探索工程により探索されたデバイスがリソースを使用可能であるか否かに応じてデバイス一覧の表示を制御する表示制御工程とをコンピュータに実行させることを特徴とするコンピュータプログラム。
【請求項２４】
前記請求項２３に記載のコンピュータプログラムを格納したことを特徴とするコンピュータ読み取り可能な記録媒体。
【発明の詳細な説明】
【技術分野】
【０００１】
本発明は、プリンタ、ファクシミリ、複写機、又はこれらの複合機を含む画像形成装置と、該画像形成装置に接続される登録装置等に関するものである。
【背景技術】
【０００２】
従来のリソースダウンローダにおいては、例えば、特許文献１の「ネットワークデバイス管理装置及び方法、並びにコンピュータプログラム及びコンピュータ可読記憶媒体」に示されているように、管理対象のデバイスを登録するためには、ダウンロード対象のリソース種別を指定したグループをあらかじめ作成し、そのグループに対してダウンロード可能なネットワーク上のデバイスを探索し、管理対象のデバイスを選択して登録するようにしていた。
【０００３】
【特許文献１】特開２００３−３２３３６４号公報
【発明の開示】
【発明が解決しようとする課題】
【０００４】
このため、前記従来例では、次のような問題点があった。
すなわち、従来のリソースダウンロード方法では、管理対象のデバイスを探索する場合に、あらかじめリソース種別を指定して作成したグループに登録を行うデバイスを探索するようにしていたので、異なるリソースを扱うデバイスを同時に探索することができなかった。
【０００５】
このため、異なるリソースを扱うデバイスを探索するためには、異なるリソース種別毎にデバイス管理グループを複数個作成し、前記作成した複数個のデバイス管理グループのそれぞれに対してデバイスの探索を行う必要があった。
【０００６】
本発明は前述の問題点に鑑み、１回の探索処理で多くの種別のデバイスを登録できるようにすることを第１の目的とする。
また、ユーザが行うデバイス登録作業を容易に行うことができるようにすることをさらに別の第２の目的とする。
【課題を解決するための手段】
【０００７】
本発明の登録方法は、前述の目的の少なくとも一つを達成するためになされたものであり、リソースダウンロードプログラムにより構成されるリソースダウンローダが格納された記録媒体を備えた情報処理装置における登録方法であって、ネットワーク上に接続されている複数のデバイスの中から、管理対象のデバイスを探索するデバイス探索工程と、前記デバイス探索工程おける探索により得られたデバイスの一覧情報を保持する一覧情報保持工程と、前記一覧情報保持工程において保持されているデバイス一覧情報の中から、管理デバイス登録先が選択された際に登録対象デバイス一覧を切り替える一覧表示切り替え工程と、前記管理対象のデバイスの登録先が未確定な時に、デバイスリストからデバイスを選択させるようにするデバイス選択工程と、前記デバイス探索工程により探索されたデバイスがリソースを使用可能であるか否かに応じてデバイス一覧の表示を制御する表示制御工程とを有することを特徴としている。
また、本発明の他の特徴とするところは、前記表示制御工程においては、一覧表示されたデバイスリスト上からデバイスが選択された場合に、前記選択されたデバイスがリソースに対応していない場合は、そのデバイスにリソースをダウンロードできないように表示を制御することを特徴としている。
また、本発明のその他の特徴とするところは、前記表示制御工程においては、前記選択されたデバイスがリソースに対応していない場合は、登録先フォルダの表示状態をグレー表示して、登録不可であることをユーザに報知することを特徴としている。
また、本発明のその他の特徴とするところは、前記探索結果のデバイス一覧情報を保持する一覧情報保持工程は、デバイスの製品名称を保持することを特徴としている。
また、本発明のその他の特徴とするところは、前記探索結果のデバイス一覧情報を保持する一覧情報保持工程は、デバイスのIPアドレスを保持することを特徴としている。
また、本発明のその他の特徴とするところは、前記探索結果のデバイス一覧情報を保持する一覧情報保持工程は、デバイスにダウンロード可能なリソースデータのリソース種別を保持することを特徴としている。
また、本発明のその他の特徴とするところは、前記管理デバイス登録先が選択された際に登録対象デバイス一覧を切り替える一覧表示切り替え工程は、ダウンロードリソース種別を選択することを特徴としている。
また、本発明のその他の特徴とするところは、前記管理デバイス登録先が選択された際に登録対象デバイス一覧を切り替える一覧表示切り替え工程は、ダウンロードリソース種別に依存するデバイス管理グループを選択することを特徴としている。
また、本発明のその他の特徴とするところは、前記管理デバイスの登録先が未確定な時に、前記一覧表示されたデバイスリストからデバイスが選択された際に補助情報を表示する補助情報表示工程を有し、前記補助情報表示工程においては、ダウンロードリソース種別に関する情報を表示することを特徴としている。
また、本発明のその他の特徴とするところは、前記補助情報表示工程においては、登録可能なリソース種別を通常表示し、登録不可能なリソース種別をグレー表示することを特徴としている。
また、本発明のその他の特徴とするところは、前記補助情報表示工程においては、登録可能なリソース種別に属するグループを通常表示し、登録不可能なリソース種別に属するグループをグレー表示することを特徴としている。
【０００８】
本発明の登録装置は、前述の目的の少なくとも一つを達成するためになされたものであり、リソースダウンロードプログラムにより構成されるリソースダウンローダが格納された記録媒体を備えた情報処理装置における登録装置であって、ネットワーク上に接続されている複数のデバイスの中から、管理対象のデバイスを探索するデバイス探索手段と、前記デバイス探索手段おける探索により得られたデバイスの一覧情報を保持する一覧情報保持手段と、前記一覧情報保持手段において保持されているデバイス一覧情報の中から、管理デバイス登録先が選択された際に登録対象デバイス一覧を切り替える一覧表示切り替え手段と、前記管理対象のデバイスの登録先が未確定な時に、一覧表示されたデバイスリストからデバイスを選択させるようにするデバイス選択手段と、前記デバイス探索手段により探索されたデバイスがリソースを使用可能であるか否かに応じてデバイス一覧の表示を制御する表示制御手段とを有することを特徴としている。
また、本発明の他の特徴とするところは、前記表示制御手段は、前記一覧表示されたデバイスリスト上からデバイスが選択された場合に、前記選択されたデバイスがリソースに対応していない場合は、そのデバイスにリソースをダウンロードできないように表示を制御することを特徴としている。
また、本発明のその他の特徴とするところは、前記表示制御手段は、前記選択されたデバイスがリソースに対応していない場合は、登録先フォルダの表示状態をグレー表示して、登録不可であることをユーザに報知することを特徴としている。
また、本発明のその他の特徴とするところは、前記探索結果のデバイス一覧情報を保持する一覧情報保持手段は、デバイスの製品名称を保持することを特徴としている。
また、本発明のその他の特徴とするところは、前記探索結果のデバイス一覧情報を保持する一覧情報保持手段は、デバイスのIPアドレスを保持することを特徴としている。
また、本発明のその他の特徴とするところは、前記探索結果のデバイス一覧情報を保持する一覧情報保持手段は、デバイスにダウンロード可能なリソースデータのリソース種別を保持することを特徴としている。
また、本発明のその他の特徴とするところは、前記管理デバイス登録先が選択された際に登録対象デバイス一覧を切り替える一覧表示切り替え手段は、ダウンロードリソース種別を選択することを特徴としている。
また、本発明のその他の特徴とするところは、前記管理デバイス登録先が選択された際に登録対象デバイス一覧を切り替える一覧表示切り替え手段は、ダウンロードリソース種別に依存するデバイス管理グループを選択することを特徴としている。
また、本発明のその他の特徴とするところは、前記管理デバイスの登録先が未確定な時に、前記一覧表示されたデバイスリストからデバイスが選択された際に補助情報を表示する補助情報表示手段を有し、前記補助情報表示手段は、ダウンロードリソース種別に関する情報を表示することを特徴としている。
また、本発明のその他の特徴とするところは、前記補助情報表示手段は、登録可能なリソース種別を通常表示し、登録不可能なリソース種別をグレー表示することを特徴としている。
また、本発明のその他の特徴とするところは、前記補助情報表示手段は、登録可能なリソース種別に属するグループを通常表示し、登録不可能なリソース種別に属するグループをグレー表示することを特徴としている。
【０００９】
本発明のコンピュータプログラムは、デバイスにダウンロードされるリソースを登録する登録方法をコンピュータに実行させるプログラムであって、ネットワーク上に接続されている複数のデバイスの中から、管理対象のデバイスを探索するデバイス探索工程と、前記デバイス探索工程おける探索により得られたデバイスの一覧情報を保持する一覧情報保持工程と、前記一覧情報保持工程において保持されているデバイス一覧情報の中から、管理デバイス登録先が選択された際に登録対象デバイス一覧を切り替える一覧表示切り替え工程と、前記管理対象のデバイスの登録先が未確定な時に、デバイスリストからデバイスを選択させるようにするデバイス選択工程と、前記デバイス探索工程により探索されたデバイスがリソースを使用可能であるか否かに応じてデバイス一覧の表示を制御する表示制御工程とをコンピュータに実行させることを特徴としている。
【００１０】
本発明記録媒体は、前記に記載のコンピュータプログラムを格納したことを特徴としている。
【発明の効果】
【００１１】
本発明の一つの側面によれば、リソースダウンロードプログラムにより構成されるリソースダウンローダが格納された記録媒体を備えた情報処理装置におけるデバイスの探索方法を改善して、リソース種別に係わらず情報ダウンロード装置のダウンロード対象となりうるネットワーク上のデバイスを探索し、その情報を元に登録先のデバイスグループの種別により、その登録対象デバイスのリストに列挙されるデバイス情報を切り替えるようにしたので、１回の探索処理で多くの種別のデバイスを登録可能にすることができる。
また、本発明の他の側面によれば、対象デバイスが全て列挙された環境において、ダウンロード可能なリソース種別及び登録可能なグループに関する補助情報を表示するようにしたので、ユーザのデバイス登録作業を容易にすることができる。
【発明を実施するための最良の形態】
【００１２】
（第１の実施の形態）
図１は、本発明の登録方法を実行するダウンロードプログラムの動作環境の一例を表した図であり、図１を用いてダウンロードプログラムの動作環境を説明する。
図１において、１はネットワークである。ネットワークの物理層としては、Ethernet（Ｒ）やLocal Talkなどがあるが、実施の形態ではEthernet（Ｒ）を前提にして説明する。
【００１３】
また、本実施の形態における「ネットワーク」という言葉は、物理的なケーブルと、ケーブル上を通る電気的な信号と、電気的な信号の組み合わせで実現される情報交換を実現するもの（プロトコル）の内の一つもしくは複数を指し、通常は、これらの総称を指している。
【００１４】
２は、サーバコンピュータである。３は管理者用パーソナルコンピュータ（以下パーソナルコンピュータをＰＣと表記）であり、プリンタ及び機能複合型複写機に対してフォントのダウンロードを行うダウンロードプログラム（以下ダウンローダと記す）が動作するコンピュータを表す。
【００１５】
４及び５はクライアントＰＣであり、ネットワークに接続された一般ユーザが使用するＰＣである（図示では２台のみを示しているが、何台あっても構わない）。なお、管理者用ＰＣであっても、クライアントＰＣとしても使用されることもありうる。ダウンローダはこれらのクライアントＰＣ上で動作してもよい。
【００１６】
６及び７はプリンタであり、ネットワーク１に接続され、クライアントＰＣ４及び５からの印刷命令を受けつけ、命令に従い印刷処理を行う。更にダウンローダからフォントダウンロード命令及びダウンロードデータを受け付け、命令に従いフォントデータのダウンロード処理を行う。
【００１７】
８及び９は、機能複合型複写機であり、画像スキャナ機能、プリンタ機能、ファクシミリ機能を備え、一つまたは複数の機能を組み合わせることにより、複写機、プリンタ、スキャナ、ファクシミリとして利用可能である。更に、ダウンローダからフォントダウンロード命令及びダウンロードデータを受け付け、命令に従いフォントデータのダウンロード処理を行う。
【００１８】
図１以外の構成として最も単純な例としては、管理者用ＰＣとクライアントＰＣが同一であり、プリンタもしくは機能複合型複写機そのものがＰＣに直結されているケースであるが、単純なので図は省略する。
【００１９】
次に、図２を用いて管理者用ＰＣ３の構成例を説明する。
図２において、１２００はコンピュータＰＣである。ＰＣ１２００は、ＣＰＵ１２０１を備え、ＲＯＭ１２０２またはハードディスク（ＨＤ）１２１１に記憶された、あるいはフレキシブルディスクドライブ（ＦＤ）１２１２より供給されるデバイス制御ソフトウェアを実行し、システムバス１２０４に接続される各デバイスを総括的に制御する。
【００２０】
前記ＰＣ１２００のＣＰＵ１２０１，ＲＯＭ１２０２またはハードディスク（ＨＤ）１２１１に記憶されたプログラムにより、本実施の形態の各機能手段が構成される。
【００２１】
１２０３はＲＡＭで、ＣＰＵ１２０１の主メモリ、ワークエリア等として機能する。１２０５はキーボードコントローラ（ＫＢＣ）であり、キーボード（ＫＢ）１２０９から入力される信号をシステム本体内に入力する制御を行う。１２０６は表示コントローラ（ＣＲＴＣ）であり、表示装置（ＣＲＴ）１２１０上の表示制御を行う。１２０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）１２１１、及びフレキシブルディスク（ＦＤ）１２１２とのアクセスを制御する。
【００２２】
１２０８はネットワークインタフェースカード（ＮＩＣ）で、ＬＡＮ１２２０を介して、ネットワークプリンタ、他のネットワーク機器、あるいは他のＰＣと双方向のデータのやり取りを行う。
【００２３】
次に、管理者用ＰＣ３上で動作するダウンローダの処理の流れを説明する。
まず、ダウンローダはセットアッププログラム等により、ハードディスク１２１１及びフレキシブルディスク１２１２等の外部記憶領域に格納（インストール）されており、管理者がプリンタもしくは機能複合型複写機にフォントをダウンロードする際に起動され、ＲＡＭ１２０３上に常駐する。
【００２４】
ダウンローダは、ダウンロードするリソースデータを、外部記憶装置１２１１，１２１２の中から参照し、リソースデータをダウンロード可能な形式に変換し、ＲＡＭ１２０３上もしくは外部記憶装置１２１１、１２１２に変換したデータを一時保存する。
【００２５】
ここで、変換を行ったダウンロード可能な形式のデータ（リソースデータ）は、フォントのデータ、フォーム（マクロ）のデータ、カラーリソースのデータなどが含まれる。フォントについては説明するまでのないので説明を省略する。マクロは、プリンタ（複合機を含む）側に所定の処理を実行させるものであり、その代表的なものは、帳票フォームを生成させる命令群で構成されるものである。
【００２６】
すなわち、一度、マクロを登録しておけば、そのマクロを指定するための情報（マクロ名）を指示することで、帳票イメージをプリンタ側で作成され、それに印刷データに基づくイメージと重畳させることが可能になる。
【００２７】
したがって、複数のプリンタにかかるマクロを登録しておくことにより、その何れで印刷させたとしても意図した結果を得ることができる。また、カラーリソースとは、色再現性を統一させるものである。また、モノクロプリンタの場合には、例えば「赤」で印刷させる命令がＰＤＬに記述されている場合、全てが同じメッシュパターンで印刷させるようにすると、統一されたものとすることができ、有用である。
【００２８】
外部記憶装置１２１１、１２１２には多数のフォントデータ、フォームデータ、カラーリソース等が予め記憶されていて、監理者はダウンローダを適宜起動して、これらのいずれか（１つでも複数でも良い）を目的とするプリンタ或いは複数のプリンタで構成されるグループに対してダウンロードさせる。
【００２９】
この際、前記の如く、各プリンタに適したデータに変換し、その後で転送を行うダウンローダは前記において生成したダウンロード可能な形式のデータをプリンタもしくは機能複合型複写機へ転送し、ダウンロード処理を実行する。その際に、ネットワークに接続されているプリンタもしくは機能複合型複写機に対しては、ＬＰＲ等の転送プロトコルを使用して、ＮＩＣ１２０８を通してプリンタもしくは機能複合型複写機へダウンロードデータの転送を行う。
【００３０】
次に、図３〜図１２を参照しながら本実施の形態のダウンローダの具体的な動作を説明する。
図３は、本発明を実施したダウンローダのメイン画面の一例を表す図であり、同図を用いて本発明の第１の実施の形態を説明する。なお、以下の画面ではMS-Windows（Ｒ）のGUIを例として使用しているが、本発明はこのGUIに限定されるものではない。
図３において、図３−(１)はダウンローダが管理対象とするリソースデータの分類を表し、この分類によりデバイスにダウンロード可能なリソース種別及びダウンロード可能なデバイスが決定される。
【００３１】
本実施の形態では、日本語環境におけるダウンロードの例を用いており、図３−(１)に相当するリソース分類としては、「漢字TrueType Font/Form」、「PDLX Font/Form」、「高速PDLX Font/Form」、「カラー高速PDLX Font/Form」、「RGB入力プロファイル」、「CMYKシミュレーションプロファイル」、「出力プロファイル」などのように分類している。
【００３２】
図３−（２）は、それぞれのリソース分類の中に、管理者により作成されたデバイスグループの例を表すものである。ここの例では「出力センタ」、「編集室」、「校正用」のグループが作成されているものとする。編集室のグループには、８台のデバイスが登録されており、それぞれのIPアドレスは、「１９２.１６８.１.１１」、「１９２.１６８.１.１２」、「１９２.１６８.１.１３」、「１９２.１６８.２.２１」、「１９２.１６８.２.２２」、「１９２.１６８.２.３０」、「１９２.１６８.２.２０１」、「１９２.１６８.２.２１１」等が割り振られているものとする。
【００３３】
図３−（３）は、「PDLX Font/Form」の管理対象デバイスであり、いずれのグループにも登録されていないデバイスを表すものである。ここに列挙されているデバイスは、デバイスを個別に設定することが可能な状態である。図３−（４）は、デバイスにダウンロードを行うリソースデータの設定状態を表す部分であり、図３−（５）はダウンロード時の状態を表示する部分である。
【００３４】
なお、図３−（４）、図３−（５）に関しては本発明と直接関係する部分ではないため、詳細な説明は省略する。
図３−（２）、図３−（３）に登録されているデバイスは、図４に示すような画面を用いてユーザによって登録されたものである。
【００３５】
図４−(１)は、ユーザが管理対象デバイスを登録可能なリソース分類もしくは管理対象グループを表すものである。ユーザは、図４−(１)で登録対象グループの選択を行い、図４−（２）に列挙されている登録可能なデバイスから、管理対象にするデバイスの選択を行い、登録ボタンを押下することで、デバイスのグループへの登録を行う。
【００３６】
図４−（３）は、デバイス探索を実行するための「探索開始ボタン」を表す。以下に、図４−（３）のボタンを押下した場合の処理の流れを説明する。
図４−（３）の「探索開始ボタン」を押下すると、リソースダウンロードプログラムは、ネットワーク１上に存在するリソースデータのダウンロード対象となるデバイスの探索を行う。
【００３７】
以下、日本語環境で対象となるデバイスは、「漢字TrueType Font/Form」、「PDLX Font/Form」、「高速PDLX Font/Form」、「カラー高速PDLX Font/Form」、「RGB入力プロファイル」、「CMYKシミュレーションプロファイル」、「出力プロファイル」などのリソースデータをダウンロード可能なデバイスである。
【００３８】
図５は、図４−（３）の探索開始ボタン押下後に探索されたデバイスの一覧情報を管理する管理テーブルの一例を表す図である。ここでは、リソースダウンロードプログラムが管理対象となりうるデバイスの一覧情報を管理しており、管理対象になり得ないデバイスが、探索要求に対して応答することも当然考えられるが、ここでは図５のリストに登録する前に管理対象のデバイスかどうかの判定を行い、管理対象となり得ないデバイスの場合は、図５のリストに追加しないものとする。
【００３９】
図５のリストには、それぞれのデバイスに対して、デバイスの製品名、デバイスのIPアドレス、デバイスにダウンロード可能なリソース種別に関する情報を管理するものとして説明を行う。ここにかかれている以外の情報、たとえばデバイスのＰＤＬに関する情報や、ダウンロード方法に関する情報、ダウンロード先記憶媒体に関する情報などを一覧情報として管理することも可能であるが、ここでは説明を簡単にするために、前記３つの情報を管理するものとする。
【００４０】
図６は、管理対象デバイスを探索した後、登録先に「カラー高速PDLXフォント/フォーム」のリソース種別を選択した場合の画面UIの例を表す図である。ここでは、図４の画面で全ての管理対象デバイスが列挙されていたものに対して、選択したカラー高速PDLXフォント/フォームのデバイスのみが列挙された例を表す図である。
【００４１】
同様に、図７は登録先に「RGB入力プロファイル」を選択した場合の例であり、登録可能なデバイスとしてRGB入力プロファイルがダウンロード可能なデバイスのみが列挙された例を表すものである。これらの処理の詳細に関して、図８のフローチャートを用いて説明する。
【００４２】
処理が開始されると、まず、最初のステップＳ６０１では、デバイス探索を行った結果、ネットワーク１上に存在し、リソースダウンロードプログラムで対象となるデバイス、すなわち、図５に示したようなデバイスの一覧情報の取得を行う。
【００４３】
次に、ステップＳ６０２においては、ユーザが管理対象となるデバイスの登録先として、ユーザが作成したリソース種別に属するグループが選択されているかどうかの判定を行う。この判定の結果、グループが選択されている場合にはステップＳ６０４へ進み、リソース種別が選択されていない場合にはステップＳ６０３へ進む。
【００４４】
ステップＳ６０３では、デバイスの登録先として選択されているリソース種別の取得を行い、その後、ステップＳ６０５へ進む。また、ステップＳ６０４に進んだ場合には、選択されているグループが、どのリソース種別に属するかの情報を取得し、その後、ステップＳ６０５へ進む。
【００４５】
ステップＳ６０５では、前記ステップＳ６０１において取得したデバイス一覧情報にいくつのデバイスが存在するのか、そのデバイスの数を取得し、以下の繰り返しに対する処理に使用する。
【００４６】
次に、ステップＳ６０６では、ステップＳ６０１において取得したデバイス一覧情報の中の現在処理を行うデバイスへダウンロード可能なリソース種別に関する情報を取得する。
【００４７】
次に、ステップＳ６０７では、ステップＳ６０６において取得したデバイスにダウンロード可能なリソース種別が、現在ユーザにより選択されている登録先のリソース種別のグループ、もしくはユーザが作成したグループのリソース種別に合致するかどうかの判定を行う。この判定の結果、合致する場合にはステップＳ６０８へ進み、合致しない場合にはステップＳ６０９へ進む。
【００４８】
ステップＳ６０８では、ユーザが選択すべき候補のデバイスであると判定されたため、ユーザが選択可能なリストとして、管理対象デバイス登録の表示画面として示した、図４−（２）のエリアにそのデバイス情報を表示する。
【００４９】
次に、ステップＳ６０９では、ステップＳ６０１において取得したデバイス一覧情報に存在している全てのデバイスの処理を行ったかどうかの判定を行う。この判定の結果、残りのデバイスがあると判定された場合にはステップＳ６０６へ戻り、前記の処理を繰り返し行い、ステップＳ６０９において、全てのデバイスを処理したと判定された場合には処理を終了する。
【００５０】
（第２の実施の形態）
次に、本発明の第２の実施の形態を説明する。
本実施の形態では、デバイスの登録先を選択していない場合に、ユーザに対して選択デバイスはどのリソース種別のデータがダウンロード可能であるかの補助情報を表示することで、ユーザのデバイス登録作業を容易にすることを目的とする。
【００５１】
まず、デバイス登録先が選択されていない状態とは、図４に示すような状態を指し、図４−（２）の部分に管理対象となりうる全てのデバイスが表示されている状態を指す。
【００５２】
ここで、図４−(１)の部分の登録先を選択した場合は、第１の実施の形態で説明した処理を行うことで登録可能なデバイスが、図４−（２）の部分に表示しなおされるため、ユーザにとってデバイスの選択作業は苦にならないが、図４−(１)の部分の選択なしに、先に図４−（２）のデバイスを選択した場合、ユーザにとって選択したデバイスがどのグループに登録可能であるのかを判断するのは困難なものがある。
【００５３】
本実施の形態を実行した結果の一例を図９に示す。
図９−(１)に示すように、登録可能なデバイスをリスト上から選択した（この状態を白黒反転で表示している）場合に、図９−（２）に示すようなテキスト表示領域に、登録可能なリソース種別情報を表示し、ユーザが登録先を決定するための補助情報を表示するようにしたものである。
【００５４】
この補助情報は、図９−（２）のようなテキスト表示エリアでもよく、Windows（Ｒ）では一般的なユーザインターフェースであるツールチップなどを用いて補助情報を表示しても構わない。補助情報表示のための処理の流れを、図１１のフローチャートを用いて説明する。
【００５５】
本処理は、図４−（２）の部分でリスト上のデバイスの選択状態が変更されたときに処理が開始する。
処理が開始されると、最初のステップＳ９０１では、図５に示す探索結果のデバイス一覧情報を取得する。
【００５６】
次に、ステップＳ９０２では、図９−(１)に示すよう対象デバイスが単一選択されているかどうかの判定を行う。この判定の結果、対象デバイスが単一選択されている場合にはステップＳ９０３へ進む。また、単一選択されていないと判定された場合にはステップＳ９０５へ進み、図９−（２）のエリアの表示をクリアし処理を終了する。
【００５７】
ステップＳ９０３では、ステップＳ９０１において取得したデバイスの一覧情報から、ダウンロード可能なリソース種別に関する情報を取得し、その後、ステップＳ９０４へ進む。ステップＳ９０４では、ステップＳ９０３において取得したダウンロード可能なリソース種別に関する情報を、図９−（２）の部分に表示する。
【００５８】
（第３の実施の形態）
本実施の形態では、デバイスの登録先を選択していない場合に、ユーザに対して選択デバイスはどのリソース種別のデータがダウンロード可能であるか、登録先のフォルダの表示状態を変更することで、ユーザのデバイス登録作業を容易にすることを目的とする。
【００５９】
まず、デバイス登録先が選択されていない状態とは、図４に示したような状態を指し、図４−（２）の部分に管理対象となりうる全てのデバイスが表示されている状態である。
【００６０】
ここで、図４−(１)の部分の登録先を選択した場合は、第１の実施の形態で説明した処理を行うことで、登録可能なデバイスが図４−（２）の部分に表示しなおされるため、ユーザにとってデバイスの選択作業は苦にならないが、図４−(１)の部分の選択なしに、先に図４−（２）のデバイスを選択した場合、ユーザにとって選択したデバイスをそのグループに登録可能であるのかを判断するのは困難なものがある。
【００６１】
本実施の形態の登録方法を実行した結果の例を図１０に示す。図１０−(１)に示すように、登録可能なデバイス「MFP３２００」を、一覧表示されたデバイスリスト上から選択した場合に、図１０−（２）に示すような登録先フォルダの表示状態を、登録可能なフォルダは通常表示し、登録不可のフォルダはグレー表示するようにしている。
【００６２】
このフォルダ表示状態切り替え処理の流れを、図１２のフローチャートを用いて説明する。
処理が開始されると、最初のステップＳ１００１では、図５に示した探索結果のデバイス一覧情報を取得する。次に、ステップＳ１００２では、図１０−(１)に示すよう対象デバイス「MFP３２００」が単一選択されているかどうかの判定を行う。
【００６３】
この判定の結果、対象デバイスが単一選択されている場合にはステップＳ１００３へ進む。また、対象デバイスが単一選択されていないと判定された場合にはステップＳ１００５へ進み、図１０−（２）のフォルダ表示を全て選択不可能な状態に表示し（全てグレー表示）処理を終了する。
【００６４】
ステップＳ１００３では、ステップＳ１００１において取得したデバイスの一覧情報から、ダウンロード可能なリソース種別に関する情報を取得し、ステップＳ１００４へ進む。
ステップＳ１００４では、ステップＳ１００３で取得したダウンロード可能なリソース種別を元にして、図１０−（２）のフォルダ表示を登録可能なフォルダを通常表示にするとともに、登録不可能なフォルダは選択不可能なグレー表示に切り替える表示制御処理を行う。
【００６５】
（本発明の他の実施の形態）
前述した実施の形態の機能を実現するべく各種のデバイスを動作させるように、前記各種デバイスと接続された装置あるいはシステム内のコンピュータに対し、前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００６６】
また、この場合、前記ソフトウェアのプログラムコード自体が前述した実施の形態の機能を実現することになり、そのプログラムコード自体、及びそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６７】
また、コンピュータが供給されたプログラムコードを実行することにより、前述の実施の形態の機能が実現されるだけでなく、そのプログラムコードがコンピュータにおいて稼働しているＯＳ（オペレーティングシステム）あるいは他のアプリケーションソフト等と共同して前述の実施の形態の機能が実現される場合にもかかるプログラムコードは本発明の実施の形態に含まれる。
【００６８】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【図面の簡単な説明】
【００６９】
【図１】本発明の登録方法を実行する動作環境の一例を表した図である。
【図２】コンピュータの構成例を示すブロック図である。
【図３】ダウンローダのメイン画面の例を表す図である。
【図４】デバイス登録時の画面の例を表す図である。
【図５】本発明にネットワーク上のデバイスを探索した結果のデバイス一覧情報の例を表す図である。
【図６】第１の実施の形態における登録先の選択した場合のデバイス一覧情報を切り替えた結果の第１の例を表す図である。
【図７】第１の実施の形態における登録先の選択した場合のデバイス一覧情報を切り替えた結果の第２の例を表す図である。
【図８】第１の実施の形態における処理の流れを表すフローチャートである。
【図９】第２の実施の形態を実行した結果の一例を示す図である。
【図１０】第３の実施の形態を実行した結果一例を示す図である。
【図１１】第２の実施の形態における処理の流れを表すフローチャートである。
【図１２】第３の実施の形態における処理の流れを表すフローチャートである。
【符号の説明】
【００７０】
１  ネットワーク
２  サーバコンピュータ
３  管理者用パーソナルコンピュータ
４  クライアントＰＣ
５  クライアントＰＣ
６  プリンタ
７  プリンタ
８  機能複合型複写機
９  機能複合型複写機
【図１】
2005208921.tif 000003
【図２】
2005208921.tif 000004
【図３】
2005208921.tif 000005
【図４】
2005208921.tif 000006
【図５】
2005208921.tif 000007
【図６】
2005208921.tif 000008
【図７】
2005208921.tif 000009
【図８】
2005208921.tif 000010
【図９】
2005208921.tif 000011
【図１０】
2005208921.tif 000012
【図１１】
2005208921.tif 000013
【図１２】
2005208921.tif 000014